(57)【要約】【課題】ＡＣ電源駆動時には大音量でスピーカを駆動することができると共に、バッテリ駆動時にはバッテリの容量不足を生じさせることなく良好な音質でスピーカを駆動することができる電子機器を提供する。【解決手段】本発明に係る電子機器は、スピーカと、スピーカを駆動するサウンド回路部と、ＡＣ電源から供給を受けると共にバッテリを備え、ＡＣ電源又はバッテリの電源に基づいて前記サウンド回路部に直流電源を供給する電源部とを備え、電源部は、ＡＣ電源に基づいて直流電源を供給する場合には、第１の電源電圧でサウンド回路部に供給し、バッテリに基づいて直流電源を供給する場合には、第１の電源電圧よりも低い第２の電源電圧でサウンド回路部に供給することを特徴とする。【選択図】  図１
2006331144.tif 000002
【特許請求の範囲】
【請求項１】
スピーカと、
前記スピーカを駆動するサウンド回路部と、
ＡＣ電源から供給を受けると共にバッテリを備え、前記ＡＣ電源又は前記バッテリの電源に基づいて前記サウンド回路部に直流電源を供給する電源部と、
を備え、
前記電源部は、前記ＡＣ電源に基づいて前記直流電源を供給する場合には、第１の電源電圧で前記サウンド回路部に供給し、前記バッテリに基づいて前記直流電源を供給する場合には、前記第１の電源電圧よりも低い第２の電源電圧で前記サウンド回路部に供給することを特徴とする電子機器。
【請求項２】
前記第１の電源電圧は、所定の大音量で前記スピーカを駆動可能な電圧であり、前記第２の電源電圧は、前記バッテリを容量不足とすることなく前記スピーカを駆動可能な電圧であることを特徴とする請求項１に記載の電子機器。
【請求項３】
前記電源部は、前記ＡＣ電源が接続されているときは前記ＡＣ電源に基づいて前記直流電源を供給し、前記ＡＣ電源が接続されていないときは前記バッテリに基づいて前記直流電源を供給することを特徴とする請求項１に記載の電子機器。
【請求項４】
前記電源部は、前記ＡＣ電源の接続の有無を検出し、前記ＡＣ電源と前記バッテリとを自動的に切り替えて前記直流電源を供給することを特徴とする請求項３に記載の電子機器。
【請求項５】
前記サウンド回路部に入力される音声信号の振幅を制御可能な利得制御部をさらに備え、
前記利得制御部は、前記ＡＣ電源に基づいて前記直流電源を供給する場合には、前記利得制御部の利得を第１の利得に設定し、前記バッテリに基づいて前記直流電源を供給する場合には、前記利得制御部の利得を前記第１の利得よりも低い第２の利得に設定することを特徴とする請求項１に記載の電子機器。
【請求項６】
前記第１の利得は、所定の大音量で前記スピーカを駆動可能な利得であり、前記第２の利得は、前記サウンド回路部の出力が飽和することのない利得であることを特徴とする請求項５に記載の電子機器。
【請求項７】
前記サウンド回路部は利得が変更可能に構成され、
前記ＡＣ電源に基づいて前記直流電源を供給する場合には、前記サウンド回路部の利得を第１の利得に設定し、前記バッテリに基づいて前記直流電源を供給する場合には、前記サウンド回路部の利得を前記第１の利得よりも低い第２の利得に設定することを特徴とする請求項１に記載の電子機器。
【請求項８】
前記第１の利得は、所定の大音量で前記スピーカを駆動可能な利得であり、前記第２の利得は、前記サウンド回路部の出力が飽和することのない利得であることを特徴とする請求項７に記載の電子機器。
【請求項９】
外部に設けられるスピーカを駆動するサウンド回路部と、
ＡＣ電源を入力すると共にバッテリを備え、前記ＡＣ電源又は前記バッテリに基づいて前記サウンド回路部に直流電源を供給する電源部と、
を備え、
前記電源部は、前記ＡＣ電源に基づいて前記直流電源を供給する場合には、第１の電源電圧で前記サウンド回路部に供給し、前記バッテリに基づいて前記直流電源を供給する場合には、前記第１の電源電圧よりも低い第２の電源電圧で前記サウンド回路部に供給することを特徴とする電子機器。
【請求項１０】
前記第１の電源電圧は、所定の大音量で前記スピーカを駆動可能な電圧であり、前記第２の電源電圧は、前記バッテリを容量不足とすることなく前記スピーカを駆動可能な電圧であることを特徴とする請求項９に記載の電子機器。
【発明の詳細な説明】
【技術分野】
【０００１】
本発明は電子機器に係り、特に、バッテリ駆動可能に構成されると共に音響機能を有する電子機器に関する。
【背景技術】
【０００２】
従来からサウンド回路やスピーカを内蔵させたノートブック型パーソナルコンピュータ等の電子機器は広く普及している。サウンド回路やスピーカを内蔵させることによって、電子機器本来の情報処理機能に加えて音楽や映像を視聴する機能を提供している。
【０００３】
近年、ノートブック型パーソナルコンピュータ等の電子機器の多機能化は著しく進んできており、音楽やビデオの再生機能のみならずテレビ放送の受信機能を備えたものも出現してきている。
【０００４】
電子機器の多機能化やＣＰＵの高性能化に伴って消費電力も増加してくるが、ノートブック型パーソナルコンピュータ等の携帯型の電子機器は、内蔵するバッテリで駆動するバッテリモードを備える形態が一般的である。
【０００５】
内蔵するバッテリの容量は所定の制限があるため、バッテリモードで駆動される場合には商用電源で駆動される場合に比べて省電力制御を行う必要性が出てくる。
【０００６】
例えば、特許文献１には、バッテリモードで駆動される情報処理装置において、バッテリの残量が少なくなった場合に、演算量が少なくなるようなプログラムを選択することによってＣＰＵの負荷を低減させ省電力化を実現する技術が開示されている。また、省電力が必要となったときには内蔵スピーカの音量を下げて消費電力を低減する技術が例示されている。
【特許文献１】特開２００４−１７２６９０号公報
【発明の開示】
【発明が解決しようとする課題】
【０００７】
上述したように、ノートブック型パーソナルコンピュータ等の電子機器では、音楽や映像の視聴機能に対する比重は従来以上に増してきている。電子機器が備える本来の機能、例えば情報処理機能の高度化に加えて、高品質の音声や映像を求めるユーザの要望は益々高まってきている。
【０００８】
特に、音声に関しては、従来のノートブック型パーソナルコンピュータ等の電子機器では比較的小規模なスピーカを内蔵した形態のものが多かった。大音量でかつ高品質のサウンド機能を求めるユーザの要求を満足するためには、出力の大きなスピーカを具備し、スピーカを駆動するスピーカアンプ（サウンド回路）も大出力スピーカに対応可能なものにする必要がある。また、スピーカアンプを大出力化し、大音量でスピーカを駆動させようとするとスピーカアンプに供給する電源電圧を高める必要がある。
【０００９】
ところで、ノートブック型パーソナルコンピュータ等のバッテリを内蔵する電子機器では、バッテリ電源の他にＡＣ電源でも駆動可能に構成されているのが一般的である。従来の電源系統は、バッテリ駆動時の電源電圧とＡＣ電源駆動時の電源電圧とは同じ電源電圧として各構成品に電源を供給している。スピーカアンプに対する電源電圧も、バッテリ駆動時とＡＣ電源駆動時とは同じ電源電圧を供給している。
【００１０】
大音量でスピーカを駆動させるためにスピーカアンプの電源電圧を高めた場合、結果的にスピーカアンプの消費電流も増加し、電源からの供給電力も増加することになる。ＡＣ電源駆動時には供給電力に大きな制約はなく、大音量でのスピーカ駆動が可能となる。
【００１１】
他方、バッテリ駆動時にスピーカアンプへ供給する電源電圧を高めると、バッテリの容量不足が生じ、スピーカアンプを充分に駆動できず、良好な音声が得られない可能性がある。
【００１２】
このように、バッテリ電源駆動時とＡＣ電源駆動時で同一電圧を供給する従来の電源系はスピーカの大音量化に充分対応しきれた構成とはなっていない。
【００１３】
本発明は、上記事情に鑑みてなされたもので、ＡＣ電源駆動時には大音量でスピーカを駆動することができると共に、バッテリ駆動時にはバッテリの容量不足を生じさせることなく良好な音質でスピーカを駆動することができる電子機器を提供することを目的とする。
【課題を解決するための手段】
【００１４】
本発明に係る電子機器は、上記課題を解決するため、請求項１に記載したように、スピーカと、前記スピーカを駆動するサウンド回路部と、ＡＣ電源から供給を受けると共にバッテリを備え、前記ＡＣ電源又は前記バッテリの電源に基づいて前記サウンド回路部に直流電源を供給する電源部とを備え、前記電源部は、前記ＡＣ電源に基づいて前記直流電源を供給する場合には、第１の電源電圧で前記サウンド回路部に供給し、前記バッテリに基づいて前記直流電源を供給する場合には、前記第１の電源電圧よりも低い第２の電源電圧で前記サウンド回路部に供給することを特徴とする。
【００１５】
また、本発明に係る電子機器は、上記課題を解決するため、請求項９に記載したように、外部に設けられるスピーカを駆動するサウンド回路部と、ＡＣ電源を入力すると共にバッテリを備え、前記ＡＣ電源又は前記バッテリに基づいて前記サウンド回路部に直流電源を供給する電源部とを備え、前記電源部は、前記ＡＣ電源に基づいて前記直流電源を供給する場合には、第１の電源電圧で前記サウンド回路部に供給し、前記バッテリに基づいて前記直流電源を供給する場合には、前記第１の電源電圧よりも低い第２の電源電圧で前記サウンド回路部に供給することを特徴とする。
【発明の効果】
【００１６】
本発明に係る電子機器によれば、ＡＣ電源駆動時には大音量でスピーカを駆動することができると共に、バッテリ駆動時にはバッテリの容量不足を生じさせることなく良好な音質でスピーカを駆動することができる。
【発明を実施するための最良の形態】
【００１７】
本発明に係る電子機器の実施形態について添付図面を参照して説明する。
【００１８】
（１）第１の実施形態
図１は、本発明の第１の実施形態に係る電子機器１の構成例を示したブロック図である。
【００１９】
電子機器１は、音声信号を発生させる音声信号発生部３、音声信号発生部３から出力される音声信号の振幅を制御する利得制御部４、利得制御部４から出力される音声信号を増幅しスピーカ６を駆動するサウンド回路部５、およびスピーカ６を備えて構成されている。
【００２０】
また、電子機器１は、外部のＡＣ電源１００からの電源供給を受けるとともにバッテリ２０を内蔵する電源部２を有している。
【００２１】
本発明に係る電子機器１は、音声機能以外の用途態様を特に限定するものではないが、例えば電子機器１をノートブック型パーソナルコンピュータとして構成した場合には、図１の構成に加えてＣＰＵを中心とした記憶装置、ディスプレイ装置、通信インタフェース等の情報処理関連の構成装置を具備するが、本発明には直接関連しないため、図１に示したブロック図ではこれらの構成装置の図示を省略している。
【００２２】
電子機器１がノートブック型パーソナルコンピュータ等の場合には、電源部２では各種の直流電源を生成して情報処理関連の構成装置に分配、供給することになるが、図１では本発明に直接関連するサウンド回路部５への直流電源供給のみを明示し、その他の構成装置への接続は省略している。
【００２３】
電源部２は、その細部の構成として、３つの直流電源変換部、即ち、ＤＣ／ＤＣ変換（１）部２１、ＤＣ／ＤＣ変換（２）部２２、およびＤＣ／ＤＣ変換（３）部２３を有するほか、充電可能なバッテリ２０、電源部２全体の制御を行う電源コントローラ２４を備えて構成されている。
【００２４】
この他、電源部２は、バッテリ２０に対する充電のオン・オフを切り替える充電スイッチ２６、バッテリ２０からの放電のオン・オフを切り替える放電スイッチ２７、ＤＣ／ＤＣ変換（１）部２１或いはバッテリ２０から出力される第１の電源電圧Ｖ１とＤＣ／ＤＣ変換（３）部２３から出力される第２の電源電圧Ｖ２とを切り替える切換スイッチ２５を備えている。
【００２５】
上記のように構成された電子機器１の動作について説明する。まず、電子機器１に外部からＡＣ電源１００が供給されている場合の動作について説明する。
【００２６】
ＡＣ電源１００は、ＡＣアダプタ１１０によって交流電源から適宜の電圧を有する直流電源に変換された後、電子機器１が備えるコネクタ７を介して電子機器１に供給される。
【００２７】
ＡＣアダプタ１１０がコネクタ７に接続されると、電源部２が具備するＤＣ／ＤＣ変換（１）部２１によって第１の電源電圧Ｖ１に変換される。第１の電源電圧Ｖ１に変換されたＤＣ／ＤＣ変換（１）部２１の直流電源出力は、切換スイッチ２５によってＤＣ／ＤＣ変換（３）部２３をバイパスするように選択された後、サウンド回路部５に供給される。
【００２８】
従来、ノートブック型パーソナルコンピュータ等の電子機器１では、サウンド回路部５に供給される直流電源の電圧は、例えば約５Ｖ程度の比較的低電圧のものが多かった。
【００２９】
これに対して、本実施形態に係る電子機器１では、ＤＣ／ＤＣ変換（１）部２１において、従来に比べて比較的高い電圧、例えば約１５Ｖ程度の電圧の直流電源を生成し、この高い電圧を第１の電源電圧Ｖ１としてサウンド回路部５に供給する形態としている。
【００３０】
切換スイッチ２５による直流電源の切換は、電源コントローラ２４から自動的に行われる。
【００３１】
電源コントローラ２４は、例えばマイクロコンピュータとＡ／Ｄ変換器を内蔵して構成されるものである。ＡＣ電源１００が接続されると、ＤＣ／ＤＣ変換（１）部２１の出力には第１の電源電圧Ｖ１が発生する。この第１の電源電圧Ｖ１は電源コントローラ２４のＡ／Ｄ変換器でデジタル量に変換され、マイクロコンピュータによって所定の閾値を超えたか否かが判定される。
【００３２】
所定の閾値を超えた場合には、電子機器１にＡＣ電源１００が接続されたと判定する。電源コントローラ２４によってＡＣ電源１００が接続されたと判定されると、電源コントローラ２４は切換スイッチ２５をバイパス側に切り替えて、第１の電源電圧Ｖ１をサウンド回路部５に供給する。
【００３３】
この他、電源コントローラ２４は、バッテリ２０の充放電の制御も行う。例えば、ＡＣ電源１００が接続されたと判定すると、充電スイッチ２６をオンにして、ＤＣ／ＤＣ変換（１）部２１の出力電力によってバッテリ２０の充電を行う。また、放電スイッチ２７をオフとしてバッテリ２０からの放電を停止する。
【００３４】
他方、ＡＣ電源１００が電子機器１に供給されていない場合には、サウンド回路部５にはバッテリ２０の電力に基づいて、第２の電源電圧Ｖ２をサウンド回路部５に供給する。
【００３５】
バッテリ２０の出力は、放電スイッチ２７を介してＤＣ／ＤＣ変換（２）部２２に接続されている。ＤＣ／ＤＣ変換（２）部２２ではバッテリ２０の出力電圧を第２の電源電圧Ｖ２に変換する。第２の電源電圧Ｖ２は、第１の電源電圧Ｖ１に比べて低い電圧に設定されており、例えば約５Ｖ程度に設定される。
【００３６】
電源コントローラ２４は、ＤＣ／ＤＣ変換（１）部２１の出力電圧値をモニタすることにより、コネクタ７の取り外し等によってＡＣ電源１００が切断されたことを判定すると、切換スイッチ２５をＤＣ／ＤＣ変換（２）部２２側に自動的に切り替える。
【００３７】
この結果、サウンド回路部５へ供給される直流電源は、第１の電源電圧Ｖ１から第２の電源電圧Ｖ２へ切り替わることになる。
【００３８】
また、電源コントローラ２４は、ＡＣ電源１００が切断された場合には、充電スイッチ２６をオフ、放電スイッチ２７をオンに設定し、バッテリ２０に対する充電を停止すると共に、バッテリ２０の電力によってサウンド回路部５やその他の構成品に対して電力を供給する。この際、サウンド回路部５に対してはバッテリ２０からの電力に基づいてＤＣ／ＤＣ変換（２）部２２の出力（第２の電源電圧Ｖ２）が供給され、電子機器１が備える他の構成品に対してはＤＣ／ＤＣ変換（３）部２３から所定の電圧値の直流電源が供給される。
【００３９】
このように、電子機器１の電源部２からは、ＡＣ電源１００が接続されている場合には、ＡＣ電源１００に基づいて第１の電源電圧Ｖ１、例えば約１５Ｖ、を有する直流電源がサウンド回路部５に供給され、ＡＣ電源１００が接続されていない場合には、バッテリ２０に基づいて第１の電源電圧Ｖ１よりも低い第２の電源電圧Ｖ２、例えば約５Ｖの直流電源がサウンド回路部５に供給される。
【００４０】
図２は、サウンド回路部５からスピーカ６に対して出力される音声信号の波形を示したものである。音声信号は説明の便宜上、正弦波として例示している。
【００４１】
図２（ａ）は、第１の電源電圧Ｖ１がサウンド回路部５の直流電源として供給されている場合の出力波形を示したものであり、図２（ｂ）は第２の電源電圧Ｖ２がサウンド回路部５の直流電源として供給されている場合の出力波形を示したものである。
【００４２】
一般に、ノートブック型パーソナルコンピュータ等の電子機器に用いられるサウンド回路部５は、電源の小型化等の要請から、正負の両極電源を電源とする形態ではなく、正のみの単電源で駆動可能に構成される形態のものが多い。
【００４３】
単電源で駆動されるサウンド回路部５の音声出力の最大振幅電圧は、供給される電源電圧によってほぼ決定され、０Ｖと電源電圧の範囲の中で変化する波形となる。
【００４４】
したがって、第１の電源電圧Ｖ１を電源電圧としてサウンド回路部５に供給し、正弦波をサウンド回路部５に入力した場合におけるサウンド回路部５出力の最大振幅電圧は、図２（ａ）に示したように、０Ｖと第１の電源電圧Ｖ１とをピークとする正弦波出力となる。例えば、第１の電源電圧Ｖ１を１５Ｖとした場合には、０Ｖと１５Ｖとをピークとする正弦波出力となる。
【００４５】
他方、第１の電源電圧Ｖ１よりも低い第２の電源電圧Ｖ２、例えば約５Ｖをサウンド回路部５の電源電圧とした場合には、図２（ｂ）に示したように、サウンド回路部５の最大振幅は、０Ｖと約５Ｖをピークとする正弦波波形となる。
【００４６】
従来、約５Ｖ程度の電源電圧を用いていたサウンド回路部５では、出力波形の振幅が電源電圧で制限されるため、大音量を実現することが困難であったが、本実施形態のようにサウンド回路部５に供給する電源電圧を上昇させることによって大音量でスピーカを駆動させることが可能となる。
【００４７】
もっとも、図２（ａ）のように音声波形の振幅電圧を大きくすると、結果的にはスピーカ６で消費される電力は増加する。したがって、電子機器１がバッテリ２０の電力に基づいて駆動されている場合には、バッテリ２０の消費電力が増加し、場合によってはバッテリ２０の容量不足を引き起こす可能性も出てくる。
【００４８】
そこで、本実施形態では、電子機器１にＡＣ電源１００が接続され、消費電力の制約をそれ程気にする必要が無い場合に限ってサウンド回路部５へ供給する電源電圧値を高い電圧（第１の電源電圧Ｖ１）に設定し、大音量を実現する形態としている。
【００４９】
他方、電子機器１がバッテリ２０の電力に基づいて駆動されている場合には、従来と同程度の電源電圧値（第２の電源電圧Ｖ２）に下げてスピーカ６を駆動させる形態としている。
【００５０】
従来は、サウンド回路部５に供給する電源電圧値はＡＣ電源１００で駆動されている場合であってもバッテリ２０で駆動されている場合であっても共通の電源電圧値に設定していた。このため、バッテリ２０の容量不足を回避しようとするとサウンド回路部５への供給電源電圧を所定値以下に設定せざるを得ず、ＡＣ電源１００を接続している場合であっても小音量を甘受せざるを得ない状況であった。
【００５１】
本実施形態に係る電子機器１によれば、第１の電源電圧Ｖ１と第２の電源電圧Ｖ２の少なくとも２種の電源電圧をサウンド回路部５に供給することによって、ＡＣ電源１００を接続しているときには大音量の享受を可能とし、バッテリ２０駆動時には、バッテリ２０の容量不足を回避することが可能な構成としている。
【００５２】
ところで、図２（ａ）と図２（ｂ）のふたつの波形は、それぞれ適正な振幅の音声信号がサウンド回路部５に入力されたときの波形を示したものである。
【００５３】
サウンド回路部５の電圧利得、即ち、入力振幅と出力振幅の比が、ＡＣ電源１００接続時とバッテリ２０駆動時とで異ならないとすると、図２（ａ）と図２（ｂ）の波形を得るためには、サウンド回路部５への入力信号の振幅をＡＣ電源１００接続時に大きく、逆にバッテリ２０駆動時には小さくする必要がある。図１のブロック図の利得制御部４はこのために設けられたものである。利得の制御は、電源コントローラ２４から行われる。
【００５４】
図３は、利得制御部４の動作を説明した図である。利得制御部４には、電子機器１の音声信号発生部３からの音声信号が入力される。音声信号発生部３は、電子機器１が有する音声発生源を模式的に示したものであり、種々の形態をとり得る。例えば、ＣＤ−ＲＯＭ、ＤＶＤ、ＨＤＤ等の記録媒体を音声発生源とする形態や、インターネットやテレビ放送等の通信・放送を媒体として音声信号を取得する形態でも良い。
【００５５】
音声信号発生部３から出力される音声信号は、例えば０Ｖと振幅Ａを最大値とする正弦波信号ＳＩＧ１で表される。
【００５６】
ＳＩＧ１は、利得制御部４に入力され、ここで利得の制御を受ける。具体的には、ＡＣ電源１００に接続されているときには、利得制御部４の利得はＧ１に設定され、バッテリ２０駆動時にはＧ１よりも低い利得のＧ２に設定される。
【００５７】
この結果、ＡＣ電源１００接続時にサウンド回路部５へ入力される音声信号ＳＩＧ２（ａ）の振幅はゼロからＢ１（Ｂ１＝Ｇ１・Ａ）の範囲となり、バッテリ２０駆動時にサウンド回路部５へ入力される音声信号ＳＩＧ２（ｂ）の振幅はゼロからＢ２（Ｂ２＝Ｇ２・Ａ、Ｂ２＜Ｂ１）となる。
【００５８】
ＳＩＧ２（ｂ）の振幅は、サウンド回路部５が第２の電源電圧Ｖ２で駆動されたときに、サウンド回路部５の出力における振幅と整合をとって設定されるものである。即ち、ゼロからＢ２の振幅をもつ音声信号がサウンド回路部５に入力されたときに、サウンド回路部５の出力ではゼロから第２の電源電圧Ｖ２の範囲の振幅（図２（ｂ）の波形或いは図３のＳＩＧ３（ｂ）の波形）となるように設定される。
【００５９】
他方、ＳＩＧ２（ａ）の振幅は、サウンド回路部５が第１の電源電圧Ｖ１で駆動されたときに、サウンド回路部５の出力における振幅と整合をとって設定されるものである。即ち、ゼロからＢ１の振幅をもつ音声信号がサウンド回路部５に入力されたときに、サウンド回路部５の出力ではゼロから第１の電源電圧Ｖ１の範囲の振幅（図２（ａ）の波形）となるように設定される。
【００６０】
仮に、バッテリ２０駆動時に大振幅の入力信号（ＳＩＧ２（ａ）の波形）をサウンド回路部５に入力すると、サウンド回路部５の出力では図３のＳＩＧ３（ａ）の波形に示したように、ゼロと第２の電源電圧Ｖ２とでクリッピングされ、歪んだ波形となってしまう。
【００６１】
また、逆に、利得制御部４で利得の制御を行わず、ＡＣ電源１００接続時においても小振幅の入力信号（ＳＩＧ２（ｂ）の波形）をサウンド回路部５に入力すると、サウンド回路部５の出力では図２（ｂ）の波形に示す小信号しかえられず、大音量を実現することができない。
【００６２】
このように、利得制御部４によってサウンド回路部５へ入力する音声信号の振幅を切り替えることによって、ＡＣ電源１００が接続されたときには大音量で、またバッテリ２０駆動時には波形歪みのない状態でスピーカ６を駆動することが可能となる。
【００６３】
図４は、電源部２の電源コントローラ２４による処理の流れを示したフローチャートである。
【００６４】
まず、ステップＳＴ１では、電源コントローラ２４は電子機器１にＡＣ電源１００から電源が供給されているか否かを判定する。具体的には、例えばＤＣ／ＤＣ変換（１）部２１の出力電圧をモニタし、所定の閾値と比較することによって判定する。
【００６５】
ステップＳＴ１でＡＣ電源１００から電源を供給されている（ＡＣ電源１００に接続されている）と判定されると（ステップＳＴ１のｙｅｓ）、次のステップＳＴ２でサウンド回路部５に高電圧（第１の電源電圧Ｖ１）の直流電源を供給する。具体的には切換スイッチ２５をバイパス側に設定する。
【００６６】
さらに、電源コントローラ２４は、利得制御部４から出力される音声信号の振幅を高振幅（図３の例ではＢ１）に設定する（ステップＳＴ３）。
【００６７】
他方、ステップＳＴ１でＡＣ電源１００から電源を供給されていない（バッテリ２０から電源が供給されている）と判定されると（ステップＳＴ１のＮｏ）、ステップＳＴ４でサウンド回路部５に低電圧（第２の電源電圧Ｖ２）の直流電源を供給する。具体的には切換スイッチ２５をＤＣ／ＤＣ変換（３）部２３側に設定する。
【００６８】
そして、電源コントローラ２４は、利得制御部４から出力される音声信号の振幅を低振幅（図３の例ではＢ２）に設定する（ステップＳＴ５）。
【００６９】
このように、電源コントローラ２４がＡＣ電源１００の接続の有無を検出し、必要な処理を自動的に行うことによって操作上の負担を排除している。
【００７０】
（２）その他の実施形態
第１の実施形態に係る電子機器１では、図１に示したようにサウンド回路部５と利得制御部４とをそれぞれ別構成としている。
【００７１】
サウンド回路部５が利得制御機能内蔵する形態の場合には、利得制御部４をサウンド回路部５に取り込むことができる。
【００７２】
図５は、サウンド回路部５ａに利得制御部５０を内蔵した実施形態（第２の実施形態）に係る電子機器１ａのブロック部を示したものである。サウンド回路部５ａ以外の構成は、第１の実施形態と異なるところはない。
【００７３】
図３に示した利得制御部４の動作は、サウンド回路部５ａの利得制御部５０の動作によって実現される。なお、この形態では、電源コントローラ２４からの利得制御信号はサウンド回路部５ａに直接入力される形態となる。
【００７４】
図６は、第２の実施形態における電源コントローラ２４の処理のフローチャートを示したものである。基本的な処理の流れは第１の実施形態と同様の流れとなる。ただし、ステップＳＴ３およびステップＳＴ５においては、サウンド回路部５に対する利得制御を行う処理としている点が図４と相違している点である。
【００７５】
その他の実施形態として、特に図示していないが、図１のブロック図からスピーカ６を除いた形態としても良い。
【００７６】
例えば、携帯用のオーディオ機器等では、携帯時には小電力のヘッドフォンで音楽を楽しみ、室内ではＡＣアダプタと外付けのスピーカを接続して大音量で音楽を楽しむ形態がしばしばとられている。
【００７７】
このような携帯用オーディオ機器等の電子機器に対しても、本発明に係る第１或いは第２の実施形態を適用することが可能である。外出時にはバッテリ２０の駆動により第２の電源電圧Ｖ２でサウンド回路部５を駆動し、室内ではＡＣ電源１００に基づいて高電圧（第１の電源電圧Ｖ１）でサウンド回路部５を駆動することにより大音量でスピーカ６を動作させることが可能となる。
【００７８】
なお、本発明は上記の各実施形態そのままに限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【図面の簡単な説明】
【００７９】
【図１】本発明に係る電子機器の第１の実施形態における構成例を示すブロック図。
【図２】本発明に係る電子機器の第１の実施形態におけるサウンド回路部の動作を説明する説明図。
【図３】本発明に係る電子機器の第１の実施形態における振幅制御部の動作を説明する説明図。
【図４】本発明に係る電子機器の第１の実施形態における電源コントローラの処理の流れを示すフローチャート。
【図５】本発明に係る電子機器の第２の実施形態における構成例を示すブロック図。
【図６】本発明に係る電子機器の第２の実施形態における電源コントローラの処理の流れを示すフローチャート。
【符号の説明】
【００８０】
１、１ａ  電子機器
２  電源部
３  音声信号発生部
４  利得制御部
５、５ａ  サウンド回路部
６  スピーカ
２０  バッテリ
２１  ＤＣ／ＤＣ変換（１）部
２２  ＤＣ／ＤＣ変換（２）部
２３  ＤＣ／ＤＣ変換（３）部
２４  電源コントローラ
２５  切換スイッチ
２６  充電スイッチ
２７  放電スイッチ
１００  ＡＣ電源
１１０  ＡＣアダプタ
【図１】
2006331144.tif 000003
【図２】
2006331144.tif 000004
【図３】
2006331144.tif 000005
【図４】
2006331144.tif 000006
【図５】
2006331144.tif 000007
【図６】
2006331144.tif 000008